(57)【要約】【課題】地下室の新たな導水構造を提案する。【解決手段】一のタイプの導水構造（１０）は、地下室（１４）とその前室（１６）とを仕切る仕切り（１８、２４）の下部に設けられた開口（３０）と、地下室の内部に向けて揺動可能である、開口の閉鎖板（３２）と、前室に向けての閉鎖板の揺動を阻止するストッパ（３８）とを備える。他のタイプの導水構造（５０）は、地下室及び前室の床の内部に形成された導水路（５４）を備える。導水路は、地下室の床面及び前室の床面にそれぞれ開放する２つの開口（５６、５８）を有する。【選択図】図１
2020117991.tif 000002
【特許請求の範囲】
【請求項１】
地下室とその前室とを仕切る仕切りの下部に設けられた開口と、
前記開口の閉鎖板であって前記仕切りに支持され前記地下室の内部に向けて揺動可能である閉鎖板と、
前記仕切りに設けられ前記前室に向けての前記閉鎖板の揺動を阻止するストッパとを備える、地下室の導水構造。
【請求項２】
前記仕切りの開口に嵌め込まれたガラリであって前記ストッパとしての機能を併せ有するガラリを備える、請求項１に記載の導水構造。
【請求項３】
前記仕切りに設けられ前記地下室の内部に向けての前記閉鎖板の揺動を解除可能に阻止するストッパを備える、請求項１又は２に記載の導水構造。
【請求項４】
前記仕切りに設けられ前記地下室の内部に向けての前記閉鎖板の揺動範囲を制限する揺動制限部材を備える、請求項１〜３のいずれか１項に記載の導水構造。
【請求項５】
仕切りで仕切られた地下室及びその前室の床面を規定する床の内部に形成された導水路を備え、
前記導水路は前記地下室の床面及び前記前室の床面にそれぞれ開放する２つの開口を有する、地下室の導水構造。
【請求項６】
前記導水路の２つの開口にそれぞれ嵌め込まれ両開口を覆う２つのグリルを備える、請求項５に記載の導水構造。
【請求項７】
地下室とその前室とを仕切る仕切りの下部に設けられた開口と、前記開口の閉鎖板であって前記仕切りに支持され前記地下室の内部に向けて揺動可能である閉鎖板と、前記仕切りに設けられ前記前室に向けての前記閉鎖板の揺動を阻止するストッパと、
前記地下室の床面及び前記前室の床面を規定する床の内部に形成された導水路であって前記地下室の床面及び前記前室の床面にそれぞれ開放する２つの開口を有する導水路とを備える、地下室の導水構造。
【発明の詳細な説明】
【技術分野】
【０００１】
本発明は、地下室に適用される導水構造に関する。
【背景技術】
【０００２】
洪水、高潮、津波等の発生に伴って建物の地下階に侵入し、地下室の扉を隔ててこれに隣接する前室に貯まる水の圧力のために、地下室の扉を人力によって開けることが困難となる事態が生じることがある。
【０００３】
このような事態への対処のために、従来、地下室の扉に開口及びこれを解除可能に閉鎖する閉鎖板を設けることが提案されている。これによれば、閉鎖板による閉鎖を解除して開口を開放状態とすることにより、開口を避難口として利用することができる。しかし、避難する者の身体上の特徴、条件等によっては前記開口を避難口として利用することが困難であったり、あるいは、避難を迅速に行うことができない場合がある。
【先行技術文献】
【特許文献】
【０００４】
【特許文献１】特開２００１−２３４６７６号公報
【発明の概要】
【発明が解決しようとする課題】
【０００５】
本発明は、前記従来の事情に鑑み、地階への浸水に伴って地下室の扉に作用することがある過大な水圧の低減を図り、これにより人力による扉の開放を可能にする導水構造を提供する。
【課題を解決するための手段】
【０００６】
本発明は一の実施の形態及び他の実施形態に係る地下室の導水構造を含む。本発明は、さらに、前記一の実施の形態及び前記他の実施の形態の双方からなる地下室の導水構造を含む。
【０００７】
一の実施の形態に係る地下室の導水構造は、地下室とその前室とを仕切る仕切りの下部に設けられた開口と、前記開口の閉鎖板であって前記仕切りに支持され前記地下室の内部に向けて揺動可能である閉鎖板と、前記仕切りに設けられ前記前室に向けての前記閉鎖板の揺動を阻止するストッパとを備える。
【０００８】
本発明によれば、建物が受ける水害のために仕切りを隔てて地下室に隣接する前室に水が浸入するとき、前記仕切りの下部の開口を通して水圧を受ける閉鎖板が地下室の内部に向けて揺動する。前記閉鎖板の揺動により、前記開口が開放され、水が前記前室から前記開口を経て前記地下室内に流れ込む。前記地下室への水の流入量の増大につれ、前記地下室の扉に対する前記前室内の水の圧力及び前記地下室内の水の圧力が次第に均衡し、人力による前記扉の開放が可能にされる。前記前室に向けての前記閉鎖板の揺動を阻止するストッパは、平時における前記地下室内での火災の発生への対処のために設けられている。前記ストッパは、火災の発生に伴って上昇する前記地下室内の気圧を受ける前記閉鎖板が前記前室に向けて揺動することを阻止し、これにより、前記開口を通しての前記地下室内への空気の流入を阻止する働きをなす。
【０００９】
さらに、前記扉の開口に嵌め込まれたガラリを備えるものとすることができる。これによれば、前記ガラリにより、前記開口を通して前記前室から前記地下室に流れ込む水に混じっていることがある木片、瓦礫等の前記開口の通過及び前記地下室内への流入を阻止することができる。前記ガラリは、前記ストッパとしての機能を併せ有するものとすることができる。
【００１０】
さらに、前記仕切りに設けられ前記地下室の内部に向けての前記閉鎖板の揺動を解除可能に阻止するストッパを備えるものとすることができる。これによれば、平時においてあるいは水害の後、開口を前記閉鎖板で閉鎖された状態におくことができる。これにより、前記開口を通しての覗き見、侵入等の犯罪の誘発を防止することができる。
【００１１】
さらに、前記扉に設けられ前記地下室の内部に向けての前記閉鎖板の揺動範囲を制限する揺動制限部材を備えるものとすることができる。これによれば、平時においてあるいは水害の後、覗き見、侵入等の犯罪を誘発する前記閉鎖板の開き過ぎを防止することができる。
【００１２】
次に、本発明の他の実施の形態に係る地下室の導水構造は、仕切りで仕切られた地下室及びその前室の床面を規定する床の内部に形成された導水路を備える。前記導水路は前記地下室の床面及び前記前室の床面にそれぞれ開放する２つの開口を有する。
【００１３】
本発明によれば、水害の発生により前記前室に貯まる水は、前記前室の床面に開放する開口、床内の導水路及び地下室の床面に開放する開口を通して、前記前室から前記地下室の内部へと流動する。これにより、前記扉に対する前記前室内の水の圧力及び前記地下室内に流入した水の圧力とを均衡させ、人力による前記扉の開放を可能とすることができる。
【００１４】
前記他の実施形態に係る導水構造は、さらに、前記導水路の２つの開口にそれぞれ嵌め込まれ両開口を覆う２つのグリルを備えるものとすることができる。これによれば、水に混じって流動する木片、瓦礫等の前記地下室内への流入を阻止することができる。
【図面の簡単な説明】
【００１５】
【図１】建物に設けられた地下室とその前室とを仕切る扉の概略的な縦断面図である。
【図２】扉の部分縦断面図である。
【図３】前室から見た扉の正面図である。
【図４】地下室から見た扉の正面図である。
【図５】扉に設けられた閉鎖板の動作を説明する扉の部分縦断面図である。
【図６】前室における水位と地下室における水位とがほぼ同じになったときにおける扉の部分縦断面図である。
【図７】前室に向けての閉鎖板の揺動を阻止するストッパの一例が設けられた扉の部分縦断面図である。
【図８】地下室に向けての閉鎖板の揺動を解除可能に阻止するストッパの一例が設けられた扉の部分縦断面図である。
【図９】閉鎖板の揺動を解除可能に阻止するストッパの一例が設けられた扉の部分正面図である。
【図１０】（ａ）は閉鎖板の揺動範囲を制限する部材の一例が設けられた扉の部分縦断面図であり、また、（ｂ）は地下室から見た扉の部分正面図である。
【図１１】（ａ）は閉鎖板の揺動範囲を制限する部材の他の一例が設けられた扉の部分縦断面図であり、また、（ｂ）は地下室から見た扉の部分正面図である。
【図１２】前室の床面及び地下室の床面にそれぞれ開放する２つの開口と、床の内部に設けられ前記２つの開口に連なる導水路とを示す床の部分縦断面図である。
【図１３】前室における水位と地下室における水位とが同じになった状態における床の部分縦断面図である。
【図１４】図１３に示す状態における床の部分平面図である。
【発明を実施するための形態】
【００１６】
図１を参照すると、本発明の一の実施の形態に係る導水構造が全体に符号１０で示されている。図示の導水構造１０は、建物１２の地下階に設けられた地下室１４に適用され、地下室１４とその前室１６とを仕切る仕切りに設けられている。前記仕切りは扉１８又は壁２４からなる。以下、扉１８に設けられた導水構造１０について代表的に説明する。なお、壁２４に設けられる導水構造１０は、これが設けられる対象を異にすることを除いて、扉１８におけると同様である。壁２４は、コンクリート製、鉄骨製、木製等からなり、その材質、構造等を問わない。なお、壁２４に、扉１８のほか、掃き出し窓（図示せず）が設けられている場合、導水構造１０を扉１８に代えて前記掃き出し窓に設けることができる。
【００１７】
前室１６には、建物１２の前記地下階と地上階とに連なる階段２０が設けられている。符号Ｗは、洪水、高潮、津波等の発生により建物１２が水害を受けたとき、前記地上階から階段２０を伝って前記地下階に流入する水を示す。
【００１８】
図示の扉１８は片開きの扉の一つである、前室１６に向けて開く外開きの扉からなる。扉１８は、建物１２の壁２４に設けられた矩形の開口２６に嵌め込まれた戸枠２８（図３及び図４）に鉛直軸線の周りに回転可能に支持されている。前記扉は、前記片開きの扉の他の一つである、地下室１４に向けて開く内開きの扉からなるものであってもよい。また、前記扉は、両開きの扉のうちの一方の扉からなるもの、例えば親子扉にあってはその子扉（図示せず）からなるものであってもよい。
【００１９】
図２〜図４に示すように、導水構造１０は、扉１８の下部に設けられた好ましくは矩形状を呈する開口３０と、開口３０を閉鎖する閉鎖板３２とを備える。
【００２０】
閉鎖板３２は地下室１４の内部に向けて揺動可能である。図示の例では、閉鎖板３２はその上部において扉１８に支持され水平方向軸線ｌの周りに地下室１４の内部に向けて揺動可能である。閉鎖板３２は、図示の例に代えて、前記水平方向以外の方向に伸びる軸線、例えば鉛直方向軸線（図示せず）の周りに揺動可能とすることができる。また、図示の例においては、全体に矩形状を呈する閉鎖板３２が好ましくは開口３０に嵌め込まれ、また、その上部３２ａにおいて、水平方向軸線ｌを規定する複数の蝶番３４を介して扉１８に取り付けられている。さらに、図示の例では、地下室１４に面する閉鎖板３２の片面が、地下室１４に面する扉１８の片面を規定する鉛直面上にある。さらに、図示の例では、閉鎖板３２が開口３０を通して閉鎖板３２に当たる空気の圧力を受けて揺動しないように、閉鎖板３２の下部３２ｂの厚さが他の部分より厚さの大きい、したがって重量の大きいものに設定されている。
【００２１】
導水構造１０は、好ましくは開口３０に嵌め込まれかつ扉１８に固定され前室１６に面するガラリ３６を備える。ガラリ３６は、前室１６に向けての閉鎖板３２の揺動を阻止するストッパとしての機能を併せ有する。ガラリ３６を設けない場合には、他のストッパ３８（図７）として、閉鎖板３２に相対しかつ前室１６の側に位置する例えば棒状体からなるものとすることができる。前記ストッパは、平時（非水害時）における地下室１４内での火災の発生への対処のために設けられている。前記ストッパは、火災の発生に伴う地下室１４内の温度及び気圧の上昇を受けて生じることがある閉鎖板３２の前室１６に向けての揺動を阻止し、これにより、開口３０を通しての地下室１４内への空気の流入を阻止する働きをなす。
【００２２】
建物１２が受ける水害のために前室１６に水Ｗが浸入すると（図１）、図５に示すように、扉１８の開口３０を通して水圧を受ける閉鎖板３２がその上部において水平軸線ｌ（図１）の周りに地下室１４の内部に向けて揺動する。これにより、扉１８の開口３０が開放され、開口３０を通して、前室１６から地下室１４内に水Ｗが流れ込む。このとき、ガラリ３６が、扉１８の開口３０を通して前室１６から地下室１４に流れる水Ｗに混じっていることがある木片、瓦礫等（図示せず）の開口３０の通過を阻止する。これにより、地下室１４内における前記木片、瓦礫等の堆積が防止される。
【００２３】
図６に示すように、地下室１４への水Ｗの流入に伴って前室１６における水位が減少し、地下室１４における水位とほぼ同じになるとき、扉１８に対する前室１６内の水Ｗの圧力（水圧）と、扉１８に対する地下室１４内の水Ｗの圧力（水圧）とが均衡する。これにより、前室１６から地下室１４に向けて及ぼされる扉１８に対する水圧の大きさが相対的に低減される。その結果、扉１８は人力によって開けることが可能な状態におかれる。
【００２４】
導水構造１０は、地下室１４が複数の部屋（図示せず）からなり部屋同士が互いに他の扉及び壁で仕切られているとき、前記他の扉及び壁のいずれか一方にも同様に適用することができる。
【００２５】
図８及び図９に示すように、導水構造１０は、好ましくは、さらに扉１８に設けられ地下室１４の内部に向けての閉鎖板３２の揺動を解除可能に阻止するストッパ４０を備える。図８に示すストッパ４０は、扉１８の下端部に回転可能に固定され閉鎖板３２に相対しかつ地下室１４の側に位置する板状体からなる。前記板状体の回転位置を変え、これにより、閉鎖板３２に対して前記板状体をそれぞれ対向状態及び非対向状態とすることにより、閉鎖板３２の揺動を不能の状態及び可能の状態におくことができる。また、図９に示すストッパ４０は、閉鎖板３２に回転可能に取り付けられたＬ形のハンドル４０ａと、扉１８に固定され、回転されるハンドル４０ａの一端部を受け入れ可能である受部材４０ｂとからなる。これによれば、ハンドル４０ａの一端部が受け部材４０ｂに受け入れられた状態にあるとき及び受け入れられていない状態にあるとき、それぞれ、閉鎖板３２の揺動が不能の状態及び可能の状態におかれる。
【００２６】
図１０の（ａ）及び（ｂ）並びに図１１の（ａ）及び（ｂ）に示すように、導水構造１０は、好ましくは、さらに扉１８に設けられ地下室１４の内部に向けての閉鎖板３２の揺動範囲を制限する２つの揺動制限部材４２を備える。但し、揺動制限部材４２の数量は、２とする図示の例に代えて、１又は３以上とすることができる。これによれば、平時において、覗き見、侵入等の犯罪を誘発する閉鎖板３２の開き過ぎを防止することができる。
【００２７】
図１０に示す２つの揺動制限部材４２は、地下室１４内において水平方向へ互いに間隔をおいて配置されかつ扉１８に固定されている。各揺動制限部材４２は、閉鎖板３２に相対しかつ扉１８の片面に対して角度をなして下方へ傾斜する傾斜面４２ａを有する。閉鎖板３２は、これが両揺動制限部材４２の傾斜面４２ａに当接するまで、地下室１４の内部に向けての揺動が許容される。傾斜面４２ａの傾斜角度は、任意に定めることができる。
【００２８】
また、図１１に示す２つの揺動制限部材４２は、地下室１４内において水平方向へ互いに間隔をおいて配置されかつ扉１８に固定されている。各揺動制限部材４２は、閉鎖板３２の片面３２ｄから各側縁３２ｃの周囲を取り巻くようにＬ形に伸びる鉤形部４２ｂであって、その先端部分において、閉鎖板３２の片面３２ｄに対して該片面から間隔をおいて相対する鉤形部４２ｂを有する。閉鎖板３２は、これが両揺動制限部材４２の鉤形部４２ｂの前記先端部分に当接するまで、地下室１４の内部に向けての揺動が許容される。閉鎖板３２の片面３２ｄと鉤形部４２ｂの前記先端部分との相互間隔は、任意に定めることができる。
【００２９】
次に、図１２〜図１４を参照して、本発明の他の実施の形態に係る導水構造５０について説明する。導水構造５０は、導水構造１０を設けることに代えて、又は、図１に示すように導水構造１０と共に設けることができる（図1参照）。
【００３０】
導水構造５０は、前記仕切りで仕切られた地下室１４及びその前室１６の床面５２ａ、５２ｂを規定する床５２の内部に形成された導水路５４を備える。導水路５４は、その断面で見て、全体にＵ字形を呈し、地下室１４の床面５２ａ及び前室１６の床面５２ｂにそれぞれ開放する２つの開口５６、５８を有する。
【００３１】
図示の例において、導水路５４は、扉１８の下方においてこれを横切って互いに平行にまた水平に伸びる２つの管状部５４ａと、各管状部５４ａの両端にそれぞれ連なる２つの凹部５４ｂ、５４ｃとからなり、両凹部５４ｂ、５４ｃがそれぞれ両開口５６、５８を規定する。管状部５４ａの数量は、これを２とする図示の例に代えて、１又は３以上とすることできる。また、管状部５４ａは、扉１８の下方を直角に横切る図示の例に代えて、扉１８の下方を斜めに横切るものとすることができる。さらに、扉１８の下方以外の箇所下、例えば壁２４下を直角又は斜めに横切るものとすることができる。さらに、管状部５４ａは水平に伸びる図示の例に代えて、上下方向へ傾斜して伸びるものとすることができる。
【００３２】
導水構造５０は、好ましくは、さらに、導水路５４の２つの開口５６、５８にそれぞれ嵌め込まれ両開口５６、５８を覆う２つのグリル６０、６２を備えるものとすることができる。さらに、地下室１４の側に位置する開口５６をグリル６０の上から覆う、比較的軽量の蓋６４を備えるものとすることができる。
【００３３】
図１２を参照すると、前室１６に水Ｗが浸入すると、矢印Ａで示すように、前室１６内の水Ｗが導水路５４の開口５８のグリル６２を通して、凹部５４ｃ、両管状部５４ａ及び凹部５４ｂへと順次に流動し、凹部５４ｂを経てまた水圧により蓋６４を押し上げて、地下室１４の内部に至り、地下室１４内に貯まり始める。このとき、グリル６２、６０が、水Ｗに混じっていることがある木片、瓦礫等（図示せず）の開口５８の通過を阻止する。これにより、地下室１４内への前記木片、瓦礫等の堆積が防止される。
【００３４】
図１３及び図１４に示すように、地下室１４内への水Ｗの流動により、地下室１４における水位と、前室１６における水位とがほぼ同じになると、地下室１４における扉１８に対する水圧と、前室１６における扉１８に対する水圧とが均衡する。これにより、扉１８は人力によって開けることが可能な状態におかれる。蓋６４は、前室１６における水位と地下室１４における水位とがほぼ同じになるとき、その自重により、グリル６０上に戻る（図１３、１４）。
【００３５】
導水構造５０は、地下室１４が複数の部屋（図示せず）からなり、互いに隣接する２つの部屋同士が他の扉で仕切られているときについても、両部屋の床に同様に適用することができる。
【符号の説明】
【００３６】
１０、５０  導水構造
１２  建物
１４  地下室
１６  前室
１８  扉（仕切り）
２４  壁（仕切り）
３０  開口
３２  閉鎖板
３６  ガラリ
３８、４０  ストッパ
４２  揺動制限部材
５４  導水路
５６、５８  開口
【図１】
2020117991.tif 000003
【図２】
2020117991.tif 000004
【図３】
2020117991.tif 000005
【図４】
2020117991.tif 000006
【図５】
2020117991.tif 000007
【図６】
2020117991.tif 000008
【図７】
2020117991.tif 000009
【図８】
2020117991.tif 000010
【図９】
2020117991.tif 000011
【図１０】
2020117991.tif 000012
【図１１】
2020117991.tif 000013
【図１２】
2020117991.tif 000014
【図１３】
2020117991.tif 000015
【図１４】
2020117991.tif 000016